(57)【要約】【課題】            装置の小型軽量化を図り、操作力を軽減し、異音の発生を極力抑えることのできる、ディスプレイモニター用スタンドを提供する。【解決手段】        ベース部材と、このベース部材より立設されたガイド部材と、このガイド部材に対し上下方向へ摺動可能に設けられた昇降部材と、この昇降部材の上部にチルト機構を介して取り付けられたディスプレイモニター取付用のブラケットと、前記昇降部材を上方へ摺動附勢させる弾性手段と、前記昇降部材の摺動時にフリクションを発生させるフリクション機構とから成り、このフリクション機構を前記昇降部材の上動時に弱くフリクションを創出させるワンウェイクラッチやトルクリミッターで構成する。【選択図】          図２
2005300922.tif 000002
【特許請求の範囲】
【請求項１】
ベース部材と、このベース部材より立設されたガイド部材と、このガイド部材に対し上下方向へ摺動可能に設けられた昇降部材と、この昇降部材の上部にチルト機構を介して取り付けられたディスプレイモニター取付用のブラケットと、前記昇降部材を上方へ摺動附勢させる弾性手段と、前記昇降部材の摺動時にフリクションを発生させるフリクション機構とから成り、このフリクション機構を前記昇降部材の上動時に弱くフリクションを創出させるワンウェイクラッチで構成したことを特徴とする、ディスプレイモニター用スタンド。
【請求項２】
ベース部材と、このベース部材より立設されたガイド部材と、このガイド部材に対し上下方向へ摺動可能に設けられた昇降部材と、この昇降部材の上部にチルト機構を介して取り付けられたディスプレイモニター取付用のブラケットと、前記昇降部材を上方へ摺動附勢させる弾性手段と、前記昇降部材の摺動時にフリクションを発生させるフリクション機構とから成り、このフリクション機構を前記昇降部材の上動時に弱くフリクションを創出するトルクリミッターで構成したことを特徴とする、ディスプレイモニター用スタンド。
【請求項３】
前記弾性手段が、コンプレッションスプリングであることを特徴とする、請求項１に記載のディスプレイモニター用スタンド。
【請求項４】
前記弾性手段が、コンストンスプリングであることを特徴とする、請求項１乃至２のいずれかに記載のディスプレイモニター用スタンド。
【請求項５】
前記ワンウェイクラッチを、前記ガイド部材と前記昇降部材との間に上下動可能に介在させたフリクションケースと、前記昇降部材に取り付けられて前記フリクションケースへ上下動可能に収容させたガイド部材と、このガイド部材と前記フリクションケースとの間に介在させたスペーサーと、このスペーサーと前記フリクションケースとの間に弾設した弾性手段と、前記ガイド部材の前記スペーサーと対向する側に設けた傾斜溝に前記昇降部材と直交する方向に収容された制御ピンとで構成したことを特徴とする、請求項１に記載のディスプレイモニター用スタンド。
【請求項６】
前記トルクリミッターは、支持ピンと、この支持ピンをその中心部軸方向へ遊挿させたフリクションローラと、このフリクションローラにその巻込部を巻き付けたコンストンスプリングとで構成したことを特徴とする、請求項２に記載のディスプレイモニター用スタンド。
【発明の詳細な説明】
【技術分野】
【０００１】
この発明は、例えばノートパソコン、卓上に置く液晶モニター、薄型モニターのようなディスプレイモニターに用いて好適なディスプレイモニター用スタンドに関する。
【背景技術】
【０００２】
従来、卓上へ置いたディスプレイモニターの高さや角度を調節するために、下記特許文献に示されたさまざまなディスプレイモニター用スタンドが公知である。
【０００３】
【特許文献１】登録第３０６３９２０号登録実用新案公報
【特許文献２】特開平１１−３３８５７６号公開特許公報  これらの特許文献に示されたディスプレイモニター用スタンドの高さを調節する昇降機構は、いずれもフリクション機構とコンプレッションスプリング、引張スプリング、及びコンストンスプリングから成る弾性手段を組み合わせたものであった。
【発明の開示】
【発明が解決しようとする課題】
【０００４】
これらのフリクション機構と弾性手段を組み合わせて成る昇降機構を有する従来のディスプレイモニター用スタンドは、フリクション機構の構成を、昇降機構の昇降部材の上方向の動作時と下方向の動作時において、同じ力のフリクションを創出する構成であったので、コンストンスプリング等の弾性手段の弾力が強くなるように設定する必要のあることから、装置が大型化し、強い操作力を必要とする上に、動作時に異音が発生し易いという問題があった。
【０００５】
この発明の目的は、装置の小型軽量化を図り、操作力を軽減し、異音の発生を極力抑えることのできる、ディスプレイモニター用スタンドを提供せんとするにある。
【課題を解決するための手段】
【０００６】
上述した目的を達成するためにこの発明は、ベース部材と、このベース部材より立設されたガイド部材と、このガイド部材に対し上下方向へ摺動可能に設けられた昇降部材と、この昇降部材の上部にチルト機構を介して取り付けられたディスプレイモニター取付用のブラケットと、前記昇降部材を上方へ摺動附勢させる弾性手段と、前記昇降部材の摺動時にフリクションを発生させるフリクション機構とから成り、このフリクション機構を前記昇降部材の上動時に弱くフリクションを創出させるワンウェイクラッチで構成したことを特徴とする。
【０００７】
この発明はまた、ベース部材と、このベース部材より立設されたガイド部材と、このガイド部材に対し上下方向へ摺動可能に設けられた昇降部材と、この昇降部材の上部にチルト機構を介して取り付けられたディスプレイモニター取付用のブラケットと、前記昇降部材を上方へ摺動附勢させる弾性手段と、前記昇降部材の摺動時にフリクションを発生させるフリクション機構とから成り、このフリクション機構を前記昇降部材の上動時に弱くフリクションを創出するトルクリミッターで構成したことを特徴とする。
【０００８】
その際にこの発明は、前記弾性手段を、コンプレッションスプリングやコンストンスプリングで構成することができる。
【０００９】
この発明はさらに、前記ワンウェイクラッチを、前記ガイド部材と前記昇降部材との間に上下動可能に介在させたフリクションケースと、前記昇降部材に取り付けられて前記フリクションケースへ上下動可能に収容させたガイド部材と、このガイド部材と前記フリクションケースとの間に介在させたスペーサーと、このスペーサーと前記フリクションケースとの間に弾設した弾性手段と、前記ガイド部材の前記スペーサーと対向する側に設けた傾斜溝に前記昇降部材と直交する方向に収容された制御ピンとで構成したことを特徴とする。
【００１０】
そして、この発明は、前記トルクリミッターを、支持ピンと、この支持ピンをその中心部軸方向へ遊挿させたフリクションローラと、このフリクションローラにその巻込部を巻き付けたコンストンスプリングとで構成することができる。
【発明の効果】
【００１１】
この発明によれば、フリクション機構を構成するワンウェイクラッチやトルクリミッターが昇降部材の上動時に弱いフリクションを創出するので、昇降部材に作用させた弾性手段の弾力を弱く設定できることから、装置全体の小型軽量化を図り、軽い操作力でディスプレイモニターの昇降操作を行うことができる上に、異音の発生を抑えることができるという効果を奏し得る。
【発明を実施するための最良の形態】
【００１２】
以下にこの発明の一実施例を図面に基づいて詳細に説明する。
【実施例１】
【００１３】
図１乃至図６において、指示記号１で示したものはベース部材であり、このベース部材１上に水平方向へ回転可能に両側板２ａ，２ａを有するガイド部材２が立設されている。指示記号３のものはこのガイド部材２の外周を覆う下部ケース体である。
【００１４】
ガイド部材２に対し上下方向へ摺動可能に両側板４ａ，４ａを有する昇降部材４が設けられ、この昇降部材４の両側板の上部にチルト機構６，６を介してブラケット７の両側板７ａ，７ａが上下方向へ揺動可能に取り付けられており、このブラケット７にディスプレイモニター８が取り付けられている。尚、指示記号９のものは、昇降部材４の周囲を覆う上部ケース体であり、下方部分に下部ケース体３の上部を収装させている。
【００１５】
ガイド部材２の上部側には、コンストンスプリングから成る弾性手段１０の一端部が固着されると共に、このコンストンスプリングから成る弾性手段１０の巻込部１０ａは、昇降部材４の下部側の両側板４ａ，４ａ間に取り付けたピン１１に巻き付けられている。
【００１６】
ガイド部材２の両側板２ａ，２ａと昇降部材４の両側板４ａ，４ａとの間には、ワンウェイクラッチを用いたフリクション機構１２，１２が設けられている。このフリクション機構１２，１２は、同じ構造のものなので、一方のものの構造についてのみ詳しく説明する。図３と図５に詳しく示したように、フリクション機構１２は、ガイド部材２の側板２ａにその一面を当接させたフリクションケース１３と、昇降部材４の側板４ａに固定されフリクションケース１３内へ若干上下動可能に収容されたガイド部材１４と、このガイド部材１４とフリクションケース１３との間に介在させたスペーサー１５と、このスペーサー１５とフリクションケース１３との間に弾設させた板バネから成る弾性手段１６と、ガイド部材１４のスペーサー１５側に開口させて設けた３個の傾斜溝１４ａと、この各傾斜溝１４ａ内に収容させた制御ピン１７とで構成され、フリクションケース１３を常にガイド部材２の側板２ａへ圧接させている。尚、この傾斜溝は３個に限定されない。
【００１７】
チルト機構６，６の構成は、同一構造のものであるので、その一方のもののみを説明すると、昇降部材４の側板４ａの上部と、ブラケット７の側板７ａとを連結するヒンジピン２０と、このヒンジピン２０の頭部２０ａと側板７ａとの間に該ヒンジピン２０をその中心部に挿通させて介在させた第１フリクションワッシャー２１と、側板７ａと側板４ａの間に、側板４ａ側に位置して設けたスプリングワッシャー２２と、このスプリングワッシャー２２に接して設けた第２フリクションワッシャー２３とから成り、ヒンジピン２０の一端部をかしめてかしめ部２０ｂを形成させることにより、ブラケット７の側板７ａが第１フリクションワッシャー２１と第２フリクションワッシャー２３との間に圧接状態で回動するように構成されている。尚、スプリングワッシャー２２と第２フリクションワッシャー２３も第１フリクションワッシャー２１と同じようにその中心部軸方向にヒンジピン２０を挿通させてある。
【００１８】
このチルト機構６の構成は、一例であって図示のものに限定されず、さまざまな公知構成のチルト機構が必要に応じて採用され得る。例えばフリクションワッシャーの種類、枚数、更にはスプリングワッシャーについては皿ばねを含めてさまざまな種類、枚数の公知構成のものを必要に応じて採用でき、かしめ部は締付ナットに代えることができる。また、ヒンジピンは通しで１本であっても良く、チルト機構を１個所だけに設けられることもできる。
【００１９】
次に、動作について説明する。ディスプレイモニター８を持って上方へ引張るか押すかすると、弾性手段１０は昇降部材４を介して該ディスプレイモニター８を上方へ附勢させている上に、この昇降部材４の上昇動作に合わせてフリクション機構１２のガイド部材１４がフリクションケース１３内で若干上動し、傾斜溝１４ａ内にある制御ピン１７が該傾斜溝１４ａの幅のある側へ移動するので、スペーサー１５、弾性手段１６を介してフリクションケース１３側に加えられている押圧力が減少する結果、該フリクションケース１３のガイド部材２の側板２ａに対する押圧力が減少することにより、昇降部材４は大きなフリクション抵抗に遭遇することなくスムーズに上方へ移動することになる。その結果、この昇降部材４に取り付けたディスプレイモニター８もその本来の重量を減殺された状態で軽い力で上動させることができるものである。
【００２０】
尚、このディスプレイモニター８の上動時においては、弾性手段１６の弾力とフリクション機構１２による弱いフリクション作用により、手を離すとディスプレイモニター８は任意の高さ位置で停止保持される。
【００２１】
また、ディスプレイモニター８を水平方向に回転させることは、上述した水平回転手段を用いることにより可能であり、縦方向の首振り動作は、チルト機構６によって行うことができ、任意の水平回転角度と縦方向の傾斜角度で停止保持が可能である。
【００２２】
次に、ディスプレイモニター８を下方へ移動させる場合には、該ディスプレイモニター８を下方へ押すと、同時に下降する昇降部材４を介して下方へ移動させることができる。その際に弾性手段１０の弾力による抵抗を受け、同時にフリクション機構１２の制御ピン１７がガイド部材１４の傾斜溝１４ａの幅の狭い側へ移動することにより、スペーサー１５と弾性手段１６を介してフリクションケース１３がガイド部材２の側板２ａへ強く圧接することにより、フリクション抵抗を受けることになる。しかし、このディスプレイモニター８の下方への移動は、該ディスプレイモニター８の重量が加わるので、大きな力を必要としない。そして、ディスプレイモニター８は下方への移動中ディスプレイモニター８への押圧力を解くと、フリクション機構１２により任意の位置で停止保持される。
【００２３】
このようにして、ディスプレイモニター８に対する昇降操作は、従来公知構成のものよりも大きな力を必要とすることなく、軽く操作することができるものである。
【００２４】
尚、この実施例１の昇降部材４に作用させる弾性手段は、コンストンスプリングの他に、コンプレッションスプリング、引張コイルスプリング等のものに代えても良い。
【実施例２】
【００２５】
図７乃至図１０は、この発明に係るディスプレイモニター用スタンドの他の実施例を示す。図面によれば、この実施例２に係るものは先の実施例１に係るものとはフリクション機構の構成が違うのみで、後は同じである。したがって、実施例１と構成の同じものは指示記号を当該実施例１のものと同じに記入し、ガイド部材２の側板２ａと昇降部材４の側板４ａとの間にスペーサー３０を介在させてある。勿論、このスペーサー３０をフリクション部材としても良い。さらに、各側板２ａと４ａの間を近接させてスペーサーやフリクション部材を省略することができる。
【００２６】
この実施例２に係るフリクション機構３１は、トルクリミッターであり、このトルクリミッターは、コンストンスプリング３２の巻込部３２ａと昇降部材４の下部に取り付けた支持ピン３３との間に、該支持ピン３３に回転可能に軸着させた、即ち、支持ピン３３をその軸方向に遊挿させた、例えばゴム製の弾性と摩擦力を有するフリクションローラ３４で構成されている。このフリクションローラ３４にコンストンスプリング３２の巻込部３２ａを巻き付けることにより、図示してないディスプレイモニターの上昇時には、巻込部３２ａのフリクションローラ３４に対する巻付力が弱まることにより、該フリクションローラ３４の回転が容易となり、コンストンスプリング３２に弱い弾力のものを用いても昇降部材４がコンストンスプリング３２の弾力によりスムーズに上方へ移動することが可能となることから、ディスプレイモニター８を軽い力で操作することが可能となるものである。
【００２７】
また、ディスプレイモニター８の下方への移動時には、コンストンスプリング３２の巻込部３２ａがフリクションローラ３４に対する巻込力を強める結果、該フリクションローラ３４が撓み、支持ピン３３の外周に強く圧接した状態となることから、ディスプレイモニター８の重量から来る加速力に対抗するフリクショントルクが発生することになる。
【００２８】
このようにして、コンストンスプリングに従来公知のものよりも弱い弾力のものを用いることができることから、ディスプレイモニター８の昇降操作は、従来公知の構成のものに較べて軽い操作力で昇降操作を行うことが可能となるものである。
【産業上の利用可能性】
【００２９】
以上詳細に説明したように、この発明はとくにディスプレイモニターを卓上で支え、該ディスプレイモニターの高さや角度を軽い操作力で容易に操作できるスタンドとして最適である。
【図面の簡単な説明】
【００３０】
【図１】この発明に係るディスプレイモニター用スタンドの側面図である。
【図２】図１に示したディスプレイモニター用スタンドの一部を欠載して見た正面図である。
【図３】図２のＡ視の部分の拡大図である。
【図４】図１の状態からディスプレイモニターを上方へ移動させて見た一部欠載の正面図である。
【図５】図４のＢ視の部分の拡大図である。
【図６】図１に示したディスプレイモニターのチルト機構の部分の縦断面図である。
【図７】この発明に係るディスプレイモニター用スタンドの他の実施例を示す正面図である。
【図８】図７に示したディスプレイモニターのフリクション機構の部分の拡大正面断面図である。
【図９】図８に示したフリクション機構の昇降部材の下降時の状態を説明する説明図である。
【図１０】図８に示したフリクション機構の昇降部材の上昇時の状態を説明する説明図である。
【符号の説明】
【００３１】
１  ベース部材
２  ガイド部材
２ａ  側板
３  下部ケース体
４  昇降部材
４ａ  側板
６  チルト機構
７  ブラケット
７ａ  側板
８  ディスプレイモニター
９  上部ケース体
１０  弾性手段（コンストンスプリング）
１０ａ  巻込部
１１  ピン
１２  フリクション機構（ワンウェイクラッチ）
１３  フリクションケース
１４  ガイド部材
１４ａ  傾斜溝
１５  スペーサー
１６  弾性手段
１７  制御ピン
２０  ヒンジピン
２０ａ  頭部
２０ｂ  かしめ部
２１  第１フリクションワッシャー
２２  スプリングワッシャー
２３  第２フリクションワッシャー
３０  スペーサー
３１  フリクション機構（トルクリミッター）
３２  コンストンスプリング
３２ａ  巻込部
３３  支持ピン
３４  フリクションローラ
【図１】
2005300922.tif 000003
【図２】
2005300922.tif 000004
【図３】
2005300922.tif 000005
【図４】
2005300922.tif 000006
【図５】
2005300922.tif 000007
【図６】
2005300922.tif 000008
【図７】
2005300922.tif 000009
【図８】
2005300922.tif 000010
【図９】
2005300922.tif 000011
【図１０】
2005300922.tif 000012